(57)【要約】      （修正有）【課題】負帰還量を、可変抵抗器で調整し、音量を調整する増幅回路において、音量調整にともなう出力直流電圧の変化を少なくすること。【解決手段】オペレーションアンプの負帰還回路にＴパッド回路２を用いる。Ｔパッド回路２は抵抗器１２〜１５を有している。このうち抵抗器１４及び１５は可変抵抗器である。このようなＴパッド回路２において可変抵抗器１４及び１５を調整することにより増幅回路１の増幅率を調整することができると共に、抵抗器１１の抵抗が小さくなりすぎることが少なくなるため、オペレーションアンプの出力端子の出力電圧が一定に保たれやすくなる。【選択図】図５
2008035178.tif 000002
【特許請求の範囲】
【請求項１】
オペレーションアンプと、
第１〜第３の端部を有しており、抵抗の大きさを調整可能なＴパッド抵抗回路と、
前記第１の端部と前記オペレーションアンプの反転入力端子とを接続する配線と、
前記第２の端部と前記オペレーションアンプの出力端子とを接続する配線と、
前記第１の端部と前記反転入力端子とを接続する配線の途中に一端が接続された第１の抵抗回路とを備えていることを特徴とするオーディオ装置用増幅回路。
【請求項２】
前記Ｔパッド抵抗回路が、
前記第１の端部に一端が接続された第２の抵抗回路と、
前記第２の抵抗の他端に一端が、前記第２の端部に他端がそれぞれ接続された第３の抵抗回路と、
前記第２の抵抗の他端に一端が、前記第３の端部に他端がそれぞれ接続された第４の抵抗回路と、
前記第１及び第２の端部に一端及び他端がそれぞれ接続された第５の抵抗回路とを有していることを特徴とする請求項１に記載のオーディオ装置用増幅回路。
【請求項３】
前記第１〜第３の抵抗回路の抵抗が一定且つ互いに全て等しく、
前記第４及び第５の抵抗回路が、前記第４及び第５の抵抗回路の抵抗を調整する調整回路をそれぞれ有していることを特徴とする請求項２に記載のオーディオ装置用増幅回路。
【請求項４】
請求項３のオーディオ装置用増幅回路と、
前記第１〜第３の抵抗回路全体の抵抗がＲ１、前記第４及び第５の抵抗がそれぞれＲ１及びＲ２で表される場合に、Ｒ３×Ｒ３＝Ｒ１×Ｒ２が成立するように、前記第４及び第５の抵抗回路全体の抵抗を前記調整回路のそれぞれに調整させる調整制御手段とを備えていることを特徴とするオーディオ装置。
【発明の詳細な説明】
【技術分野】
【０００１】
本発明は、オペレーションアンプを有するオーディオ装置用増幅回路及びオーディオ装置に関する。
【背景技術】
【０００２】
特許文献１のように、プレーヤからの音声信号を、負帰還回路を有するオペレーションアンプを利用して増幅し、スピーカに出力するオーディオ装置がある。図４（ａ）は、このような負帰還回路を伴うオペレーションアンプ１００を利用した増幅回路を示すものである。オペレーションアンプ１００の出力端子と反転入力端子とには負帰還回路１１０ａが接続されている。負帰還回路１１０ａは、抵抗器１１１を有している。また、オペレーションアンプ１００の反転入力端子と抵抗器１１１との間には抵抗器１１２が接続されている。この増幅回路の増幅率は抵抗器１１１の抵抗Ｒ１と抵抗器１１２の抵抗Ｒ２との比に依存する。
【０００３】
図４（ｂ）の増幅回路は、図４（ａ）の増幅回路において負帰還回路１１０ａの替わりに増幅率の調整が可能な負帰還回路１１０ｂが採用されたものである。負帰還回路１１０ｂは可変抵抗器１０３を有している。可変抵抗器１０３は、負帰還回路１１０ｂが有する抵抗を、上限値Ｒ３の範囲内で調整可能なものとする。これによって、図４（ｂ）の増幅回路においては増幅率が調整され得る。
【０００４】
一方、図４（ｃ）は、抵抗器１１１’及び１１２’の抵抗がそれぞれｒ１及びｒ２で表されるときに、ｒ１＋ｒ２＝Ｒ３となる範囲内でｒ１とｒ２とを調整することができる仮想的な回路を示している。つまり、図４（ｃ）は図４（ｂ）の増幅回路と同様の機能を有する仮想的な増幅回路を示すものである。
【０００５】
【特許文献１】特開平９−８５５９号公報（図１）
【発明の開示】
【発明が解決しようとする課題】
【０００６】
ところで、理想的なオペレーションアンプは、出力インピーダンスがゼロに等しいため、出力端子からどれだけの電流を流出させるように動作させても、出力端子の出力電圧を一定に保つことができるものである。これによって、オペレーションアンプの出力端子に接続されたスピーカなどの装置を定電圧で駆動することができるという利点がある。
【０００７】
しかしながら、図４（ｃ）のような増幅回路においてｒ２が小さくなると、ｒ２を流れる電流が大きくなる。そして、（ｒ１＋オペレーションアンプの出力インピーダンス）と比較してｒ２が小さくなりすぎると、もはやオペレーションアンプが出力インピーダンスの大きさをゼロに保ちつつ理想的に動作しているとは言えなくなる。このことは、図４（ｂ）のような構成を有する増幅回路においては、可変抵抗器１０３の状態によって、オペレーションアンプの出力端子に接続された装置が定電圧で駆動されなくなるおそれが生じることを示している。例えば、オペレーションアンプの出力端子にスピーカが接続される場合には、スピーカが定電圧で駆動されなくなり、スピーカの音質が劣化するおそれが生じる。
【０００８】
本発明の目的は、出力端子の出力電圧が一定に保持されやすいオーディオ装置用増幅回路及びそのオーディオ装置用増幅回路を有するオーディオ装置を提供することにある。
【課題を解決するための手段及び効果】
【０００９】
本発明のオーディオ装置用増幅回路は、オペレーションアンプと、第１〜第３の端部を有しており、抵抗の大きさを調整可能なＴパッド抵抗回路と、前記第１の端部と前記オペレーションアンプの反転入力端子とを接続する配線と、前記第２の端部と前記オペレーションアンプの出力端子とを接続する配線と、前記第１の端部と前記反転入力端子とを接続する配線の途中に一端が接続された第１の抵抗回路とを備えている。
【００１０】
オペレーションアンプの出力インピーダンスの大きさがゼロに保たれた理想的な動作がなされなくなるのは、増幅率の調整の際に上記の第１の抵抗回路の抵抗が小さくなりすぎることによる。本発明のオーディオ装置用増幅回路によると、Ｔパッド抵抗回路において抵抗の大きさが調整されるので、第１の抵抗回路の抵抗を小さくしすぎることなく増幅率の調整が可能となる。したがって、第１の抵抗回路に大きな電流が流れにくくなり、オペレーションアンプの出力電圧が一定に保たれやすくなる。
【００１１】
また、本発明においては、前記Ｔパッド抵抗回路が、前記第１の端部に一端が接続された第２の抵抗回路と、前記第２の抵抗の他端に一端が、前記第２の端部に他端がそれぞれ接続された第３の抵抗回路と、前記第２の抵抗の他端に一端が、前記第３の端部に他端がそれぞれ接続された第４の抵抗回路と、前記第１及び第２の端部に一端及び他端がそれぞれ接続された第５の抵抗回路とを有している。この構成によると、５つの抵抗回路を利用した構成により、Ｔパッド抵抗回路が簡易に実現する。
【００１２】
また、本発明においては、前記第１〜第３の抵抗回路の抵抗が一定且つ互いに全て等しく、前記第４及び第５の抵抗回路が、前記第４及び第５の抵抗回路の抵抗を調整する調整回路をそれぞれ有していることが好ましい。この構成によると、第４及び第５の抵抗回路が抵抗を調整可能な構成を有しているので、増幅率が変化しても第１の抵抗回路の抵抗が小さくなることがより確実に抑制され得る。
【００１３】
本発明のオーディオ装置は、上記のオーディオ装置用増幅回路を有しており、前記第１〜第３の抵抗回路全体の抵抗がＲ１、前記第４及び第５の抵抗がそれぞれＲ１及びＲ２で表される場合に、Ｒ３×Ｒ３＝Ｒ１×Ｒ２が成立するように、前記第４及び第５の抵抗回路全体の抵抗を前記調整回路のそれぞれに調整させる調整制御手段とを備えている。この構成によると、増幅率が１＋Ｒ１／Ｒ３となるように増幅回路を制御しつつ、増幅回路の出力に接続された装置などの定電圧駆動が可能となるので、音質などの性能が高いオーディオ装置が実現する。
【発明を実施するための最良の形態】
【００１４】
以下は、本発明の好適な実施形態の一例についての説明である。図５は、本発明のオーディオ装置用増幅回路の一実施形態である増幅回路１を示している。
【００１５】
＜増幅回路＞
本実施形態の増幅回路１は、負帰還回路１ａと、オペレーションアンプ（以下、「ＯＰアンプ」と呼称）１００とを有している。オペレーションアンプ１００は、反転入力端子１００ａ、非反転入力端子１００ｂ、出力端子１００ｃを有している。負帰還回路１ａは、出力端子１００ｃと反転入力端子１００ａとを接続する回路である。
【００１６】
負帰還回路１ａには、Ｔパッド回路２が挿入されている。Ｔパッド回路２は、図５に示されているようにＴ字型の形状を有する回路である。なお、図５においてＴパッド回路２は、Ｔ字型が反時計回りに９０度回転した状態で描かれている。
【００１７】
Ｔパッド回路２は、端部２ａ〜２ｃを有している。端部２ａは、オペレーションアンプ１００の反転入力端子１００ａに配線を介して接続されている。端部２ｂは、オペレーションアンプ１００の出力端子に配線を介して接続されている。端部２ｃは、配線を介して接地されている。
【００１８】
Ｔパッド回路２は抵抗器１２〜１５（第２〜第５の抵抗回路）を有している。抵抗器１２、１３及び１５において、各抵抗器の一端は端部２ａ、２ｂ及び２ｃにそれぞれ接続されている。抵抗器１２、１３及び１５において、各抵抗器の他端は接点２ｄで互いに接続されている。抵抗器１４の両端は、抵抗器１４が抵抗器１２及び１３の両方と並列になるように、端部２ａ及び２ｂの近傍にそれぞれ接続されている。
【００１９】
負帰還回路１ａには、さらに抵抗器１１が接続されている。抵抗器１１の一端は端部２ａから反転入力端子１００ａまでの配線の途中に接続されており、抵抗器１１の他端は接地されている。
【００２０】
抵抗器１１、１２及び１３の抵抗は一定であり、互いに同じである。抵抗器１４及び１５の抵抗は調整可能である。
【００２１】
以上のような構成を有するＴパッド回路２が採用されていることにより、増幅回路１は、増幅率を調整することができるような構成を有すると共に、抵抗器１１の大きさが一定であるため、抵抗器１１に電流が流れすぎることがなく、出力端子１００ｃに接続された装置を定電圧で駆動できる。
【００２２】
実際、抵抗器１４及び１５の抵抗をそれぞれＲ１、Ｒ２、抵抗器１１、１２及び１３の抵抗をＲ３とするとき、増幅回路１の非反転入力端子１００ｂの入力電圧に対する出力端子１００ｃの出力電圧の増幅率は、１＋Ｒ１／Ｒ３と表される。ただし、Ｒ１×Ｒ２＝Ｒ３×Ｒ３の関係が成立しているとする。つまり、増幅回路１は、Ｒ１×Ｒ２＝Ｒ３×Ｒ３の関係が成立するように抵抗器１４及び抵抗器１５の抵抗Ｒ１及びＲ２を変更することにより、増幅率が１＋Ｒ１／Ｒ３となるように駆動することができるものである。
【００２３】
＜増幅回路の応用例＞
図１及び図２は、上記の増幅回路１をオーディオ装置１０００に応用した場合の一例を示している。オーディオ装置１０００は、装置本体３００と２つのスピーカ２００とを有している。
【００２４】
装置本体３００は、プレーヤ３１０及び増幅装置３２０を有している。プレーヤ３１０の前面のパネルには、ＣＤ（Compact Disc）などの音声が記録された記録媒体が設置される媒体設置部３１３が設置されている。オーディオ装置１０００は、媒体設置部３１３に設置された記録媒体に記録されているデータに基づいて音声を再生する。プレーヤ３１０の前面のパネルには、再生される音声の音質などを調整するための各種のつまみ３１１、３１２が設置されている。プレーヤ３１０は、記録媒体に記録されたデータを読み取る。そして、かかるデータ、及び、つまみ３１１や３１２による音質などの調整量に基づいて音声信号を生成する。生成された音声データは、増幅装置３２０へと送信される。
【００２５】
増幅装置３２０は、プレーヤ３１０からの音声データを増幅する。増幅装置３２０の前面のパネルには、音量調整つまみ３２３が設置されている。増幅装置３２０は、つまみ３２１〜３２３による調整量に基づいて、プレーヤ３１０からの音声データを増幅し、スピーカ２００へと送信する。スピーカ２００は、増幅装置３２０からの音声信号に従って、音声を発生させる。なお、プレーヤ３１０に音量調節つまみが設置されており、かかる音量調整つまみに従って、音量を示す信号を増幅装置３２０に送信するという構成をプレーヤ３１０が有していてもよい。
【００２６】
図２はオーディオ装置１０００の機能構成及び回路構成を示すブロック図である。増幅装置３２０は増幅回路１に相当する増幅回路４００を有している。増幅回路４００は、ＯＰアンプ１００、抵抗器４１１、４１２及び４１３、電子ボリューム４１４、及び、可変抵抗回路４１５を有している。抵抗器４１１、４１２及び４１３、電子ボリューム４１４、及び、可変抵抗回路４１５は、増幅回路１の抵抗器１１、１２、１３、１４及び１５にそれぞれ対応する。
【００２７】
抵抗器４１１〜４１３の抵抗はいずれも一定であり、これらの抵抗は互いに等しい。電子ボリューム４１４は、後述のＣＰＵ（Central Processing Unit）３２４ａに接続されており、ＣＰＵ３２４ａからのボリューム調整信号に基づいて抵抗の大きさを変化させる電子部品である。
【００２８】
可変抵抗回路４１５は、抵抗器列４１５ａ及び信号切り替え部４１５ｂを有している。抵抗器列４１５ａは、それぞれ固有の抵抗を有する複数の抵抗器を含んでいる。図２に示されているように、これらの抵抗器の一端は、配線を介して抵抗器４１２と抵抗器４１３との間に接続されている。
【００２９】
信号切り替え部４１５ｂは複数のスイッチ４１５ｃを有している。これらのスイッチ４１５ｃの一端は、抵抗器列４１５ａに含まれている抵抗器にそれぞれ接続されている。スイッチ４１５ｃの他端は接地されている。これによって、一のスイッチ４１５ｃと他の一のスイッチ４１５ｃとがオンの状態になった場合には、これらのスイッチ４１５ｃに接続された抵抗器同士が並列に接続されることになる。また、信号切り替え部４１５ｂは、後述のＣＰＵ３２４ａに接続されており、ＣＰＵ３２４ａからの制御信号に基づいて、各スイッチ４１５ｃの状態をオンの状態とオフの状態との間で切り替える。
【００３０】
プレーヤ３１０からの音声信号はＯＰアンプ１００の非反転入力端子に入力される。ＯＰアンプ１００に入力された音声信号は所定の増幅率で増幅され、ＯＰアンプ１００の出力端子から出力される。そして、増幅された音声信号がスピーカ２００へと送信され、スピーカ２００から音声として出力される。
【００３１】
増幅装置３２０は、制御部３２４を有している。制御部３２４は、ＣＰＵ３２４ａ、ワークＲＡＭ（Random Access Memory）４３５ｂ及びプログラムＲＯＭ（Read Only Memory）３２４ｃを有している。ＣＰＵ３２４ａは、プログラムＲＯＭ３２４ｃが記憶しているプログラムに従って、各種の情報処理を実行する。ＣＰＵ３２４ａは、ワークＲＡＭ３２４ｂにアクセスして、ワークＲＡＭ３２４ｂにデータなどを記憶させたり、ワークＲＡＭ３２４ｂからデータを読み出したりする。ワークＲＡＭ３２４ｂ内には、ＣＰＵ３２４ａによって使用されるデータ等の一時的な記憶領域が構築される。このように、プログラムＲＯＭ３２４ｃが記憶しているプログラム等のソフトウェアと協働してＣＰＵ３２４ａ等のハードウェアが機能することにより、下記のような制御部３２４による情報処理が実行される。
【００３２】
ＣＰＵ３２４ａには、入出力部３２５を介して音量長調整つまみ３２３が接続されている。ＣＰＵ３２４ａは、音量調整つまみ３２３が示す調整量を検出すると共に、検出した調整量に基づいてボリューム調整信号及び制御信号を生成する。生成されたボリューム調整信号及び制御信号は、電子ボリューム４１４及び信号切り替え部４１５ｂへとそれぞれ送信される。
【００３３】
ボリューム調整信号は、音量調整つまみ３２３が示す音声の大きさが大きいほど電子ボリューム４１４の抵抗が大きくなるように生成される。制御信号は、電子ボリューム４１４の抵抗がＲ１、可変抵抗回路４１５の全体の抵抗がＲ２、抵抗器４１１〜４１３の抵抗の大きさがＲ３でそれぞれ表される場合に、Ｒ１×Ｒ２＝Ｒ３×Ｒ３を満たすこととなるように生成される。
【００３４】
以下は、制御信号を生成する際にＣＰＵ３２４ａが実行する情報処理についての具体的な説明である。ＣＰＵ３２４ａが生成する制御信号は、抵抗器列４１５ａに含まれる抵抗器の抵抗に応じて調整される。本実施形態においては、抵抗器列４１５ａに含まれる各抵抗器の抵抗ｒ１、ｒ２、ｒ３、…が、例えばｒ１＝ａ１×Ｒ３２、ｒ２＝ａ２×Ｒ３２、ｒ３＝ａ３×Ｒ３２、…と表されるものとする。
【００３５】
上記の通り、Ｒ１×Ｒ２＝Ｒ３×Ｒ３を満たすようにＲ１が制御されなければならない。一方で、音量調整つまみ３２３が示す調整量に応じて生成されたボリューム調整信号が送信されることにより、電子ボリューム４１４の抵抗Ｒ２が調整される。つまり、Ｒ２は、音量調整つまみ３２３が示す調整量に応じて一意的に決定される。したがって、可変抵抗回路４１５の抵抗Ｒ１がＲ１＝Ｒ３２／Ｒ２を満たすように制御信号が生成されなければならない。
【００３６】
ここで、抵抗器列４１５ａに含まれている抵抗器のうち、信号切り替え部４１５ｂによってオンの状態になったスイッチ４１５ｃに接続されているもの同士は、並列に接続されることになる。したがって、オンの状態になっているスイッチ４１５ｃに接続された抵抗器の抵抗がｒ１、ｒ２、ｒ３、…と表される場合に、可変抵抗回路４１５の抵抗Ｒ１は、Ｒ１＝１／（１／ｒ１＋１／ｒ２＋１／ｒ３＋…）と表される。したがって、１／ｒ１＋１／ｒ２＋１／ｒ３＋…＝Ｒ２／Ｒ３２を満たすように信号切り替え部４１５ｂが制御されればよいことになる。さらにこの式に、ｒ１＝ａ１×Ｒ３２、ｒ２＝ａ２×Ｒ３２、ｒ３＝ａ３×Ｒ３２、…を代入すると、１／ａ１＋１／ａ２＋１／ａ３＋…＝Ｒ２となる。つまり、結局１／ａ１＋１／ａ２＋１／ａ３＋…＝Ｒ２となるように制御信号が生成されればよいことになる。
【００３７】
表１は、Ｒ２の各値に対してＲ１＝Ｒ３２／Ｒ２を満たすような信号切り替え部４１５ｂにおける各スイッチ４１５ｃのオン状態及びオフ状態の組み合わせを示している。表１の第２列はＲ２の各値を示している。表１の第１行はスイッチ４１５ｃのそれぞれを表している。例えば第１行において、スイッチａ１は、抵抗がａ１×Ｒ３２と表される抵抗器に対応するスイッチを表している。
【００３８】
【表１】
2008035178.tif 000003
【００３９】
【表２】
2008035178.tif 000004
【００４０】
表２は、一例として表１に基づいて作成された、各Ｒ２と制御信号との対応関係を示す抵抗調整テーブルである。制御信号は２ビットの数値によって示されている。制御信号中の各桁は、左から順にスイッチａ１、ａ2、ａ3、…の状態に対応している。各桁における数値１は表１において各スイッチがオンの状態である場合に対応し、各桁における数値０は表１において各スイッチがオフの状態である場合に対応する。
【００４１】
ＣＰＵ３２４ｂは、表２に示されているような抵抗調整テーブルを作成して、あらかじめワークＲＡＭ３２４ｂに記憶させる。そして、音量調整つまみ３２３が示す調整量に応じて電子ボリューム４１４に送信するボリューム調整信号を生成すると共に、かかるボリューム調整信号を送信した際に電子ボリューム４１４が有することとなる抵抗Ｒ２に対応する制御信号を抵抗調整テーブルから検索する。検索された制御信号は信号切り替え部４１５ｂへと送信される。なお、抵抗調整テーブルがあらかじめＲＯＭに記憶されていてもよい。
【００４２】
信号切り替え部４１５ｂは、ＣＰＵ３２４ｂから制御信号を受け取ると、制御信号に基づいてスイッチ４１５ｃの状態を切り替える。ここで、制御信号の１桁目、２桁目、３桁目、…の数値に応じてスイッチａ１、スイッチａ2、スイッチａ3、…がそれぞれ切り替えられる。例えば、制御信号が”１００…”の場合には、スイッチａ１がオン状態に、スイッチａ2がオフ状態に、スイッチａ3がオフ状態になるように各スイッチが切り替えられる。また、制御信号が”０１１”の場合には、スイッチａ１がオフ状態に、スイッチａ2がオン状態に、スイッチａ3がオン状態になるように各スイッチが切り替えられる。
【００４３】
図３は、本実施形態においてオーディオ装置１０００の電源がオンにされてからオフにされるまでに制御部３２４が増幅回路４００を制御する一連のステップを示すフローチャートである。
【００４４】
オーディオ装置１０００の電源がオンにされると（Ｓ１）、制御部３２４は抵抗調整テーブルを作成すると共に、ワークＲＡＭ３２４ｂに抵抗調整テーブルを記憶させる（Ｓ２）。なお、抵抗調整テーブルがＲＯＭなどにあらかじめ記憶されている場合には、Ｓ２のステップは不要である。
【００４５】
次に、制御部３２４は、音量調整つまみ３２３が示す調整量に応じて、ボリューム調整信号を生成する（Ｓ３）。これによって、ボリューム調整信号が電子ボリューム４１４に供給された際の電子ボリューム４１４の抵抗が決定する。
【００４６】
次に、制御部３２４は、ボリューム調整信号が電子ボリューム４１４に供給された際の電子ボリューム４１４の抵抗Ｒ２、抵抗器４１１〜４１３の抵抗Ｒ３、及び、可変抵抗回路４１５の抵抗Ｒ１が、Ｒ１×Ｒ２＝Ｒ３×Ｒ３を満たすように、抵抗調整テーブルに基づいて可変抵抗回路４１５の抵抗を制御する制御信号を生成する（Ｓ４）。
【００４７】
次に、制御部３２４は、Ｓ３及びＳ４において生成したボリューム調整信号及び制御信号を電子ボリューム及び可変抵抗回路４１５にそれぞれ送信する（Ｓ５）。
【００４８】
次に、制御部３２４は、音量調整つまみ３２３によって音量が変更されたか否かを判定する（Ｓ６）。音量が変更されたと判定した場合には（Ｓ６、Ｙｅｓ）、Ｓ３からのステップを実行する。音量が変更されていないと判定した場合には（Ｓ６、Ｎｏ）、オーディオ装置１０００の電源スイッチがオフにされたか否かを判定する（Ｓ７）。電源スイッチがオフにされていないと判定した場合には（Ｓ７、Ｎｏ）、Ｓ６からのステップを実行する。電源スイッチがオフにされたと判定した場合には（Ｓ７、Ｙｅｓ）、制御部３２４は一連のステップを終了する。
【００４９】
上記のような構成を有していることにより、ＣＰＵ３２４ａは、音量調整つまみ３２３が示す調整量に応じて増幅回路４００の増幅率を調整すると共に、Ｒ１×Ｒ２＝Ｒ３×Ｒ３を満たすように、増幅回路４００を制御する。これによって、増幅回路４００の増幅率が１＋Ｒ１／Ｒ３となるような制御がなされ得る。
【００５０】
また、増幅回路１に相当する増幅回路４００が採用されていることにより、スピーカ２００が定電圧で駆動されやすくなる。つまり、増幅回路４００の抵抗器４１１に流れる電流が過大なものとならないため、ＯＰアンプ１００の出力インピーダンスをゼロとみなせる理想的な状態が保持されやすくなる。したがって、スピーカ２００のインピーダンスの変動などによってＯＰアンプ１００の出力電圧が変動するような事態が生じにくく、スピーカ２００が安定して動作するため、スピーカ２００から出力される音声の音質が向上する。
【００５１】
＜変形例＞
以上は、本発明の好適な実施形態についての説明であるが、本発明は上述の実施形態に限られるものではなく、課題を解決するための手段に記載された内容の限りにおいて様々な変更が可能なものである。
【００５２】
例えば、上述の実施形態においては、一例として電子ボリューム４１４の抵抗Ｒ２と可変抵抗回路４１５の抵抗が同一となるような制御が示されている。しかし、電子ボリューム４１４の構成や抵抗器列４１５ａに含まれる抵抗器の抵抗の組み合わせによって、可変抵抗回路４１５の抵抗と電子ボリューム４１４の抵抗とを常に同一にするような制御が不可能である場合もある。このような場合には、抵抗Ｒ２に最も近いものとなるように可変抵抗回路４１５の抵抗が調整されるような制御がなされればよい。例えば、抵抗調整テーブルに可変抵抗回路４１５の抵抗が各Ｒ２に最も近いものとなるように設定された制御信号が含まれており、このような抵抗調整テーブルに従って可変抵抗回路４１５の抵抗が調整されればよい。
【図面の簡単な説明】
【００５３】
【図１】本発明の一実施形態に係るオーディオ装置の概略構成図である。
【図２】図１に示されているオーディオ装置の機能構成及び回路構成を示すブロック図である。
【図３】制御部が増幅回路を制御する一連のステップを示すフローチャートである。
【図４】従来技術の増幅回路を示す回路図である。
【図５】本発明の一実施形態である増幅回路を示す回路図である。
【符号の説明】
【００５４】
１１-１５  抵抗器
１  増幅回路
２  Ｔパッド回路
１００  ＯＰ（オペレーション）アンプ
２００  スピーカ
３００  装置本体
３１０  プレーヤ
３２０  増幅装置
４００  増幅回路
４１４  電子ボリューム
４１１-４１３  抵抗器
４１４  電子ボリューム
４１５  可変抵抗回路
４１５ａ  抵抗器列
４１５ｂ  信号切り替え部
１０００  オーディオ装置
【図１】
2008035178.tif 000005
【図２】
2008035178.tif 000006
【図３】
2008035178.tif 000007
【図４】
2008035178.tif 000008
【図５】
2008035178.tif 000009